(57)【特許請求の範囲】
【請求項１】
ブーツ（１）、スキーやスノーボード用のブーツであって、
使用者の脛部を少なくとも部分的に覆う上部（２ａ）と使用者の足部を覆う下部（２ｂ）とを有するブーツ本体（２）と、
前記ブーツ本体（２）の前記上部（２ａ）に位置する少なくとも１つの上側作用領域（１１）と前記ブーツ本体（２）の前記下部（２ｂ）に位置する少なくとも１つの下側作用領域（１２）とを含む緊締具（１０）と、を備え、
前記緊締具（１０）は、
第一端部（１３ａ）が前記上側作用領域（１１）の上部に、また、第二端部（１３ｂ）が前記下側作用領域（１２）のブーツ先端部に、それぞれ固定され、前記上側作用領域（１１）と前記下側作用領域（１２）との間に位置する中間作用領域（１９）において少なくとも１回交差するように案内される１本のブーツ紐（１３）と、
前記緊締具（１０）の前記上側作用領域（１１）及び前記下側作用領域（１２）のハンドル（１４’）を有する共通の引き締め具（１４）と、を備え、
前記ブーツ（１）の紐を締めたり緩めたりすることに関して、前記ハンドル（１４’）を操作した際、前記引き締め具（１４）がブーツ紐（１３）と協働して前記緊締具（１０）の前記上側作用領域（１１）、前記下側作用領域（１２）及び前記中間作用領域（１９）の各領域に対して同時に作用するように、該各領域が、機能的に結合されており、
少なくとも１つの切り欠き（３）又はＵ字型若しくはＶ字型の切り欠き（３）が、前記中間作用領域（１９）のブーツ生地に設けられていることを特徴とするブーツ（１）。
【請求項２】
前記上側作用領域（１１）と前記下側作用領域（１２）は各々に複数の紐方向転換部材（１５）を備え、前記ハンドル（１４’）を有する前記引き締め具（１４）は、前記上側作用領域（１１）の紐方向転換部材（１５’）と下側作用領域（１２）の紐方向転換部材（１５”）の間に配設されていることを特徴とする請求項１に記載のブーツ（１）。
【請求項３】
前記下側作用領域（１２）は、前記上側作用領域（１１）と少なくとも同数の紐方向転換部材（１５）を備えることを特徴とする請求項２に記載のブーツ（１）。
【請求項４】
前記緊締具（１０）は、紐ガイド（１６）も備え、紐ガイドはブーツ本体（２）上または内部に設けられ、ブーツ（１）を締めたり緩めたりする操作が可能なループとして形成されたブーツ紐（１３）の延長部分（１７）は、前記紐ガイド（１６）により、前記上側作用領域（１１）から前記下側作用領域（１２）までの範囲からハンドル（１４’）まで通って、再び戻ることを特徴とする請求項１乃至３の何れか１項に記載のブーツ（１）。
【請求項５】
前記紐ガイド（１６）は、少なくとも２本の細管を有し、ループを形成するブーツ紐（１３）の２本の延長部分（１７）は各々前記細管を通ることを特徴とする請求項４に記載のブーツ（１）。
【請求項６】
ループを形成するブーツ紐（１３）の２本の前記延長部分（１７）は各々紐ロック部（１８）を通り、該紐ロック部はブーツ本体（２）、ブーツ胴部（２）に配置され、手動で解除可能なことを特徴とする請求項４又は請求項５に記載のブーツ（１）。
【請求項７】
前記ハンドル（１４’）は、ブーツ紐のループ（１７）を固定せずに案内する握り部を備えることを特徴とする請求項１乃至６の何れか１項に記載のブーツ（１）。
【請求項８】
前記ブーツ（１）は、また、ブーツベロ（４）を備え、該ブーツベロ（４）は少なくともブーツ本体（２）の緊締具（１０）に覆われた領域上に延出し、ブーツ（１）を速やかに緩めるための引き紐又はテープ（５）をブーツ胴部側の端部に備えることを特徴とする請求項１乃至７の何れか１項に記載のブーツ（１）。
【請求項９】
前記ブーツ（１）は、また、ブーツ胴部（２）に装着された、又は装着可能なインナーブーツを備え、該インナーブーツはブーツ（１）を速やかに締めるための、インナーブーツ胴部側端部に配設された引き紐又はテープを備えることを特徴とする請求項１乃至８の何れか１項に記載のブーツ（１）。
【発明の詳細な説明】
【技術分野】
【０００１】
本発明はブーツ、特にスキー又はスノーボード用のブーツに関し、更に詳しくは、使用者の脛部を少なくとも部分的に覆う上部と使用者の足部を覆う下部とを備えるブーツ本体と、ブーツ本体の上部に位置する少なくとも一つの上側作用領域とブーツ本体の下部に位置する少なくとも一つの下側作用領域とを含む緊締具とを備えるブーツに関する。
【背景技術】
【０００２】
このようなブーツは基本的に従来から公知のものであり、特に、登山、スキー、スノーボード用等、様々なスポーツ領域において用いられており、まず、第一に、足首付近の屈曲部分に食い込むことなく使用中に足をしっかりサポートすることが重要である。更に、ブーツは、使用者からの力ができるだけ適切に伝わるように、脛部分を充分に固定しなくてはならない。特にスキー又はスノーボードの場合は、そのスポーツ用具に可能な限り良好に、力を伝えなくてはならない。
【０００３】
ブーツには、安定したサポートの他、使用者が比較的手間をかけず簡単に脱ぎ履きできるように紐で結ぶことが要求される。これは、スキー又はスノーボード用ブーツの緊締具の場合は、特に重要な要件となる。ブーツは使用後に通常は氷で覆われてしまうので、ブーツ紐をかなり苦労してやっと解く場合が多いからである。
【０００４】
例えば、ドイツ実用新案登録２０，２００４，０１９，０８２Ｕ１号明細書は、冒頭で述べた方法のブーツを開示しており、このブーツの緊締具は２本のブーツ紐で構成されている。即ち、一方のブーツ紐はブーツの脛領域を締付け、もう片方のブーツ紐は足領域を締付ける目的で設けられている。この目的に従い、足領域に配置されたブーツ紐はその一端がブーツに固定されている。このブーツ紐は足領域において、ブーツベロの脇に取り付けられた３つの紐方向転換部材を通って誘導されている。３つ目の紐方向転換部材を通った後、下部のブーツ紐の自由端は、ブーツ胴部に沿って上方に誘導され、握り部まで延びている。
【０００５】
脛部用の上側ブーツ紐も同様に、ブーツに結合し、誘導されている。
【発明の概要】
【発明が解決しようとする課題】
【０００６】
従来技術で知られた解決策において、これら２本のブーツ紐はお互い独立して働くので、ブーツの脛部分にあたる第一上側緊締領域は、ブーツの足部分にあたる第二下側緊締領域とは独立して締めたり緩めたりすることができる。ブーツの脛と足の部分に別々の２つの緊締領域を設けた結果、両領域間の中間部、即ち足首付近の屈曲部では、どうしても引張力の働かない部分が生じてしまう。
【０００７】
そのため、足の屈曲部で適切な引張力が得られず、ブーツの安定したサポートを妨げる要因となる恐れがある。更に、ブーツを脱ぐ際には上側のみならず下側の領域でも紐を緩めなければならない。２本のブーツ紐は互いに独立して働くので、上側の締め領域を緩めても充分ではなく、下側の領域で足はしっかり固定されているために、簡単にブーツを脱ぐことはできない。
【課題を解決するための手段】
【０００８】
本発明の目的は、上述の課題に基づいて、冒頭で述べた種類のブーツを更に発展させ、できるだけ簡単に着脱できるブーツを提供することである。更には、ブーツを着脱する際の取扱いが簡単であることに加え、ブーツ全体において足を安定してサポートすることができる、ブーツ紐緊締具を備えるブーツを提供する。
【０００９】
上記の課題は本発明によって以下のように解決される。即ち、ブーツ紐緊締具は、一方では１本のブーツ紐を備え、該ブーツ紐は、その第一端部を上側作用領域の上部に、その第二端部を下側作用領域のブーツ先端側に固定し、上側作用領域と下側作用領域との間に位置する中間作用領域において少なくとも１回交差するように案内されている。他方では緊締具の上側作用領域と下側作用領域共通のハンドルを有する引き締め具を備え、引き締め具は、ブーツを締めたり緩めたりすることに関して、ハンドルを操作することによって、緊締具の上側作用領域、下側作用領域及び中間作用領域の各領域に対して同時に作用するようにブーツ紐と協働する。
【００１０】
本発明の重要な点の一つは、ブーツが、一本のブーツ紐を備えるブーツ紐緊締具を含み、ブーツ紐緊締具は全部で３つの主要作用領域、即ち、ブーツ本体の上部、つまりブーツ胴部に配置された上側作用領域と、ブーツ本体の下部に配置された下側作用領域と、上側作用領域と下側作用領域との間に位置する中間作用領域とを有するという点である。ブーツを締めたり緩めたりすることに関して、上側作用領域、下側作用領域及び中間作用領域は共通の引き締め具を介して機能的に直接連結している。本発明によるブーツは既存のブーツと異なり、２本の別個のブーツ紐ではなく１本のブーツ紐が、引き締め具のハンドルの操作で締まったり緩んだりすることによって緊締具の上側作用領域、下側作用領域及び中間作用領域の各領域に直接作用する。
【００１１】
上下作用領域が機能的に連結していることによって、以下のことが達成される。即ち上側作用領域を緩めると１本のブーツ紐が緩んで中間作用領域及び下側作用領域にも伝わり、共通のハンドルを適切に操作することによって各作用領域が緩み、その結果、非常に簡単にブーツを脱ぐことできる。
【００１２】
また、緊締具のブーツ紐は、上述したように、中間作用領域において少なくとも１回交差するように案内されている。この中間作用領域により、ブーツの緊締に際して充分な引張力が確保されるので、ブーツ内の足を特に足の屈曲部において確実に安全にサポートすることができる。つまり、ブーツ紐が交差するため、上側作用領域と下側作用領域に加え、更に移行領域、即ち中間作用領域が成立する。これらの作用領域は、互いに機能的に直接連結している。つまり、中間作用領域は、両隣の領域と機能的に連結しているため、引張力を均一化する領域として機能することとなり、ブーツは均一的に引き締められる。従って、着用時の快適性が向上するのみならず、ブーツ内で足を安全にサポートする機能も向上する。
さらに、本発明では、中間作用領域において、ブーツ生地に、少なくとも１つの、好適にはＵ字又はＶ字型の切り欠きを設けられている。上下作用領域の間でブーツ紐が交差して通ることよって形成される中間作用領域と同様に、ブーツ本体の上部とブーツ本体の下部の間のブーツ生地内に設けられた少なくとも１つの切り欠きが引張力均一化領域として機能し、それによって、緊締具の全ての作用領域においてブーツをできるだけ均一に締付けることができるだけではなく、ブーツ着用時の快適性とブーツの取り扱い、特に着脱時の取扱が改善される。
【００１３】
好適な展開例は従属請求項に記載される。
好ましくは、上側作用領域と下側作用領域は各々複数の紐方向転換部材を備え、両作用領域共通の引き締め具が、上側作用領域の紐方向転換部材と下側作用領域の紐方向転換部材との間に配設される。このようなハンドルを備えた引き締め具を設けることによって、ハンドル即ち引き締め具からの引張力が上下作用領域のブーツ紐へ効果的に伝えられる。
何故なら、各紐方向転換部材の方向により、緊締の両方向において、力の伝達が影響されるからである。結果的に、上下作用領域において同時に、比較的小さな力でもブーツ紐を引き締めることができる。
【００１４】
最後に述べた実施形態の特に好適な実施例では、ブーツ紐緊締具の上側作用領域及び下側作用領域の各々に複数の紐方向転換部材を備え、下側作用領域は、上側作用領域が備える紐方向転換部材の数と少なくとも同数の紐方向転換部材を備える。紐方向転換部材の数が両作用領域で同じであれば、引き締め具がブーツ紐に及ぼす引張力は、上下作用領域において同様に作用する。しかし、下側作用領域の紐方向転換部材の数が上側作用領域の紐方向転換部材の数より多いと、引き締め具からブーツ紐を通じて緊締両方向に働く力が不均等に伝わることになる。特に、例えば同じ力で引き締めた場合は、緊締具の上側作用領域は下側作用領域よりも強く締まる。同様に又、ブーツ紐のハンドルを開放した場合、上側作用領域の緊締状態の方が下側作用領域よりゆるやかに緩む。従って、引き締め具からブーツ紐に係る力が上下作用領域各々に与える効果は、両作用領域各々に設けられた紐方向転換部材の数を適切に選択することによって予め決定することができる。
【００１５】
更に、緊締具が、ブーツ本体上又は内部に設けられた紐ガイドを備えれば特に効果的である。ブーツ紐の一部は、その紐ガイドにより、共通のハンドルを用いてブーツを緩めたり締めたりする操作が可能なループを形成しており、上側作用領域から下側作用領域までの範囲からハンドルにまで至って、再びブーツに向かって戻る。このような紐ガイドを使用することによって、ブーツを締めたり緩めたりする延長ループは確実に誘導され、特に想定の場所を通るので、ブーツの使用中にじゃまにならないというメリットがある。また、特に、このブーツの使用中、紐のループはスノーボードやスキーの走行中に枝等の物体が絡まるのを防ぐ様になっている。上記のように、ブーツ紐の一部は、共通のハンドルを操作してブーツを締めたり緩めたりするための延長ループとして形成され、引き締め具即ち、引き締め具のハンドルを用いてブーツ紐に力を作用させ、上下作用領域各々の締付強度を適切に調節する引き締め具の構成部品である。
【００１６】
紐ガイドの特に好適な実施では、紐ガイドは少なくとも２つの細管を有し、細管は好ましくはブーツ本体上または内部に配置され、ループを形成するブーツ紐の２本の延長部分は各々細管を通る。紐ガイドにはその他の解決方法も考慮されることが理解できるであろう。
【００１７】
特に効果的であるのは、引き締め具のハンドルからブーツ紐の延長ループに力を作用させることができると、ブーツ紐の延長ループは、引き締め具のハンドルを操作することによって、緊締具の上下作用領域においてブーツを締めたり緩めたり、又は緊締強度を調整できることである。即ち、紐方向転換部材の領域にあるブーツ紐のループは、紐方向転換部材と係合するのではなく、延長してループを形成し、該ループがブーツを締めたり緩めたりする操作ができる長さにまで延長されている。
【００１８】
ブーツ紐を締めるために、ループはロックすることができる。ループを形成するブーツ紐の２本の延長部分は各々紐ロック部を通り、紐ロック部はブーツ本体、特にブーツの胴部に配置され、好適には手動で解除可能である。延長ループが紐方向転換部材の回りを通ることはなく延長されているため、延長ループの領域では紐方向転換部材を省略することができる。この実施形態であれば特に簡単に引き締め具を実施することができる。更に、この実施形態であれば、引き締め具のハンドルから残りのブーツ紐へ特に効果的に力が伝達される。というのは、延長ループから、近接する紐方向転換部材の周辺を通るブーツ紐の一部へ力が直接伝達されるからである。
【００２１】
引き締め具がハンドルを、特に握り部の態様のハンドルを備え、ブーツ紐のループは該握り部で固定されずにハンドルと共に動かしてブーツを締めたり緩めたりすることによって、着脱時の快適性、即ち共通のハンドルの機能性が更に向上する。
【００２２】
既に述べたように、本発明に基づくブーツの特に好適な実施例において、ループを形成した二つのブーツ紐延長部分はそれぞれ紐ロック部を通っており、紐ロック部は、ブーツ本体、特にブーツ胴部に配置され、好適には手動で解除可能である。特に好適な実施形態では、紐ロック部はロック可能な引き締め具である。つまり、ロック可能引き締め具は上側作用領域に対しても下側作用領域に対しても同時に機能していることがわかる。両作用領域に作用する引き締め具を用いることで、足部と胴部の引張力が同時に調整可能であるという効果がある。引き締め具により、特には、ブーツにおいて漸進的に圧力を増加することができ、従来のブーツのように、まず足先領域のブーツ紐を引き締め、続いて胴部を引き締めるといった順番に手間をかけて結ぶ必要がない。好適には、上側作用領域と下側作用領域の間に設けた中間作用領域（引張力均一化領域）において、足首付近の繊細な屈曲部位の圧力が分散されるので、ブーツが足の屈曲部位に食い込むのを防止する。ブーツ着脱時の快適性に関して、本実施例では、上下両作用領域に対して作用する紐ロック部を解除すれば、一回の手動のみで全ての緊締を解くことができるが、これは、上側作用領域と下側作用領域（更に中間作用領域）とが機能的に直接連結しているからである。上側又は下側作用領域の何れかを緩めると、その緩みが中間及び下側、又は上側作用領域それぞれに拡がる。
【００２３】
紐ロック部、好適には手動で解除可能な紐ロック部を用いて靴紐をロックすることにより、上下の作用領域の緊締を個々に固定することも可能である。
【００２４】
ブーツの着脱をできるだけ簡単にするために、冒頭で述べた本発明に基づく緊締具に追加して、又はその代替として設けるとすれば、ブーツは更にベロを備え、該ブーツベロは少なくとも、ブーツ本体の緊締具によって覆われた領域上に延出し、ブーツを速やかに緩めるための引き紐又はテープをブーツ胴部側の端部に設ける。
【００２５】
代替又は追加的手段としては、ブーツが、ブーツ本体に装着された又は装着可能なインナーブーツを設けることも考えられ、インナーブーツはその胴部側端部にブーツを速やかに緩めるための引き紐又はテープを備えている。
【図面の簡単な説明】
【００２６】
【図１】本発明に基づくブーツの好適な一実施例の斜視図である。
【図２】図１で示したブーツの側面図である。
【図３】図１又は図２で示した本発明の実施形態に基づくブーツの緊締具の構成に関する簡略図である。
【発明を実施するための形態】
【００２７】
以下、本発明の具体的な実施形態について、添付の図面を参照して詳細に述べる。
【００２８】
本発明に基づくブーツの好適な一実施例はその斜視図を図１に示し、その側面図を図２に示す。既に説明したように、本発明に基づくブーツ１は、使用者の脛部を少なくとも部分的に覆う上部２ａと、使用者の足を覆う下部２ｂとからなるブーツ本体２を備える。更に、緊締具１０が設けられ、該緊締具１０は、ブーツ本体２の上部２ａに位置する上側作用領域１１と、ブーツ本体２の下部２ｂに位置する下側作用領域１２とを含む。緊締具１０は１本のブーツ紐１３からなり、上側作用領域１１の上部に該ブーツ紐１３の第一端部１３ａが固定し、下側作用領域１２のブーツ先端部に該ブーツ紐１３の第二端部１３ｂが固定している。更に、緊締具１０の上側作用領域１１と下側作用領域１２に共通の、ハンドル１４’を備えた引き締め具１４が設けられており、引き締め具１４は、紐を締めたりブーツを開いたりすることに関して、ハンドル１４’を操作することによって、緊締具１０の上側作用領域１１と下側作用領域１２に対して同時に作用するようにブーツ紐１３と協働する。
【００２９】
緊締具１０の機能、特に引き締め具１４のハンドル１４’の操作が緊締具１０の異なる作用領域の緊締に与える影響については、その詳細を図３を参照して後述する。
【００３０】
更に図１及び図２は、本発明に基づくブーツ１の１本のブーツ紐１３が、上側作用領域１１から下側作用領域１２までの範囲で１回交差するように通っていることを示す。上下作用領域１１，１２の間の領域１９を中間作用領域とし、ブーツ１において、全体に均一に圧力の分散が起きるように、引張力を均一化する領域として機能する。
【００３１】
殊に、中間作用領域１９（引張力均一化領域）があるために繊細な足首付近の屈曲部の圧力が均一化されるので、ブーツ１が足の屈曲部に食い込むことを防ぐことができる。
【００３２】
上側作用領域１１に対応するブーツ本体２の上部２ａと下側作用領域１２に対応するブーツ本体２の下部２ｂとの間にある移行範囲において、生地に、特にはブーツベロの両側にそれぞれ位置するブーツ本体２の外側の生地に、Ｕ字形又はＶ字形の切り欠き３が効果的に設けられている。この種の切り欠き３があることによって、ブーツ本体２の繊細な足首付近の屈曲部に対して圧力が適切に分散され、且つブーツの着脱が容易になるという効果を生む。
【００３３】
引き締め具１４のハンドル１４’に関して補足すると、本発明の好適な実施形態では、ハンドル１４’は握り部を含み、特に明確に図２に示すように、ブーツ紐１３のループ１７が該握り部を自在に貫通している。ブーツ紐１３のループ１７はブーツ紐１３の一部であり、ハンドル１４を用いてブーツ１を締めたり緩めたりする操作が可能な延長ループとして形成されている。ブーツ本体２から自由端として延長された部分であるループ１７は、引き締め具１４、即ちハンドル１４’を用いて、緊締具１０の上側作用領域１１と下側作用領域１２の緊締強度を調節する。
【００３４】
ループ１７の両方の部分はそれぞれ、上側作用領域１１と下側作用領域１２の間である領域１９から、ハンドル１４へ通り抜け、そして再びガイド用細管１６’を備える紐ガイド１６を通って戻る。
【００３５】
特に図２に示すように、本実施形態では、２本になってループを形成するブーツ紐１３の延長部分１７は紐ロック部１８を通り、紐ロック部１８はブーツ本体２上に配置され、好ましくは手動で解除可能である。
【００３６】
図１及び図２に示す実施例のように、ブーツ１の着脱をできるだけ簡単にするために、上述した緊締具１０に、更に追加的要素を設けることもできる。即ち、ブーツ１は更にブーツベロ４を備え、ブーツベロは少なくともブーツ本体２の緊締具１０に覆われた領域上に延出している。又、ブーツ１を速やかに緩めるために、ブーツ胴部の上端部に引き紐又は引きテープ５を備える。既に述べたように、ブーツ１はブーツ本体２に装着可能又は装着された（ここでは明示されていない）インナーブーツを更に備えることも考えられ、該インナーブーツはブーツ胴部側端部に引き紐又はテープを含む。 
【００３７】
図１及び図２で示した緊締具１０を備えたブーツ１は、例えば登山靴やスノーボード用のソフトブーツとして実施可能であり、緊締具１０を用いることは、特にスノーボード用のブーツに効果的である。
【００３８】
図３は、緊締具１０の機能をより明確に示すために、ブーツ１の全体像を省略して、緊締具１０のみの簡略図を示す。緊締具１０は、図１及び図２に示した本発明に基づくブーツ１の実施例に用いることができる。
【００３９】
例えば、ドイツ実用新案登録２０，２００４，０１９，０８２Ｕ１号明細書に開示されている緊締方法とは異なり、本発明に基づくブーツ１の緊締具１０のブーツ紐１３は１本を全体に通している。図３に示した好適な実施形態では、緊締具１０は、上側作用領域１１及び下側作用領域１２という２つの主要作用領域と、上側作用領域１１と下側作用領域１２の移行区域においてブーツ紐１３が交差して通るように設けられた中間作用領域１９を含む。
【００４０】
上側作用領域１１はブーツ胴部の範囲、つまりブーツ本体２の上部２ａに位置し、下側作用領域１２は足先の範囲、つまりブーツ本体２の下部２ｂに位置する。中間作用領域１９は、上部作用領域１１と下部作用領域の１２の間に位置し、ブーツ１の屈曲部に対して作用する。中間作用領域１９は、上側作用領域１１及び下側作用領域１２と作用・機能的に直接連結しており、引張力均一化領域として機能する。これによって、屈曲部で引張力が分散する。というのは、上側作用領域１１と下側作用領域１２に与えられた引張力が少なくとも部分的に中間作用領域１９に伝達されるからである。
【００４１】
図１から図３まで、特に図３に示した緊締具１０は、上側作用領域１１と下側作用領域１２の緊締強度を個別に調節することができる。というのは、締めるにも、緩めるにも、引き締め具１４のハンドル１４’を用いて両領域へ同時に作用するように、両領域は機能的に結合しているからである。上側作用領域１１及び下側作用領域１２（中間作用領域１９も含む）の緊締強度を調節するために、全ての作用領域１１、１２、１９に共通のハンドル１４’の態様の引き締め具１４が配置され、好適な実施形態においてはロック可能な引き締め具として機能する。
【００４２】
引き締め具１４、ハンドル１４’を操作することによって、上側作用領域１１及び下側作用領域１２は同時に引き締まり、紐ロック部１８を用いて引き締め具をロックすることによって、調節後の緊締強度が保持される。
【００４３】
上述の例において、引き締め具１４はブーツ１を締めたり緩めたりする操作が可能な延長ループ１７として形成されている。この目的のために、ブーツ紐の一部は、ブーツベロの横側の一方に配置された紐方向転換部材１５’及び１５”を通ってから、従来ブーツベロの対向側に配置される紐方向転換部材は通らない。その替わり、これらの紐方向転換部材は省略され、ブーツ紐の両部分は延出し、ブーツ使用者が操作するループ１７を形成する。ブーツ紐は、胴部上端付近に取付けられた紐ロック部１８を通る長さまで延出し、ループ１７の自由端は、使用者が楽に掴める長さまで紐ロック部１８から突出している。実際には、紐ロック部から突出しているループ１７の自由端の長さは、少なくともブーツ１の胴部の長さまである。
【００４４】
延長されたループ１７が絡まったり、引っ掛ったり、より合わないように、延長部分は、ブーツ胴部２内部又は上部に設けられた紐ガイド１６内を通る。ガイド１６は柔軟なガイド細管１６’を含み、該ガイド細管１６’はブーツの生地と一体化しているか、ブーツ上に固定されている。ベロ側のガイド細管１６’の端の位置は、下側作用領域１２の紐方向転換部材１５”と上側作用領域１１の紐方向転換部材１５’と同じかその間の高さにそれぞれ配設されている。ベロ側の２つの細管１６’の端は互いに離れて配置され、紐方向転換部材１５’と１５”と関連して配置される。すなわち、ブーツ紐１３の緊締角度が緊締全体で同じであるように、また、ブーツ紐１３は、上側作用領域１１と下側作用領域１２との間の移行範囲１９で交差してそこに引張力均一化領域を形成するように、選択可能なある角度でブーツ紐の一部は細管１６’に挿入されている。
【００４５】
両ガイド紐はガイド１６から延び、紐ロック部１８の下側から紐ロック部１８に通される。従って、ブーツ本体２上で自由に動くブーツ紐の長さは非常に短いので、紐１３が絡まるのを効果的に防止することができる。
【００４６】
ブーツ紐１３の自由端は、ループ１７に沿って自由に動くハンドル１４’の握り部を通り、該握り部でループ１７を簡単に引き締めたり、引き絞ることができる。
【００４７】
一続きのブーツ紐１３の両端は、ブーツ胴部又は足先領域に固定されている。
【００４８】
ここで指摘しておくと、紐方向転換部材１５の数は、本図面では上側作用領域１１では２つ、下側作用領域１２では３つとなっているが、その他の数を選択してもよい。特に、４つ又は６つの紐方向転換部材を設けてもよく、その場合は、延長ループ１７は隣り合って配設された２つの紐方向転換部材１５’と１５”の間を必ずしも通る必要はない。その替わり、ループ１７の両紐部分の間に更なる紐方向転換部材を設けることもできる。
【００４９】
ブーツ１の靴紐を締めたり緩めたりするに際して、図示した緊締方法は以下のように作用する。上側作用領域１１に対応するループを引っ張ると、この範囲の紐が引き締められて、ブーツの緊締強度が調節できる。上側作用領域１１と下側作用領域１２が機能的に協働することによって、足先領域も同時に引き締められる。何故なら、中間作用領域１９が上側作用領域１１と下側作用領域１２と機能的に連結しているので、上側作用領域１１と下側作用領域１２の間の引張力がある程度まで均一化するからである。中間作用領域１９を介して引張力が均一化することによって、ブーツ１の足首付近の屈曲部にある程度の引張力がかかって確実に固定保持することができ、繊細な足の屈曲部にブーツが食い込む事が無い。
【００５０】
ブーツ１を脱ぐ際には、上側作用領域１１と下側作用領域１２共通の紐ロック部１８のロックを緩めるだけで十分である。なぜなら、上下作用領域の引き締めが同時に緩められるからである。
【００５１】
本発明に基づくブーツ１は、図示した好適な実施形態に限定されない。本明細書で開示した個々の特徴の組み合わせも考えられる。
【符号の説明】
【００５２】
１     ブーツ
２     ブーツ本体
２ａ   ブーツ本体の上部
２ｂ   ブーツ本体の下部
３     ブーツ本体（外）材の切り欠き
４     ブーツベロ
５     引き紐
１０   緊締具
１１   緊締具の上側作用領域
１２   緊締具の下側作用領域
１３   ブーツ紐
１３ａ ブーツ紐の第一端部  
１３ｂ ブーツ紐の第二端部
１４   ハンドル
１５   紐方向転換部材
１６   紐ガイド
１７   ブーツ紐延長部
１８   紐ロック部
１９   緊締具の中間作用領域
【図１】
0005491198.tif 000002
【図２】
0005491198.tif 000003
【図３】
0005491198.tif 000004